(57)【要約】【課題】付箋を移動させる際に参加者が逐次移動先の台紙を選択する場合に比べて、台紙間にまたがる付箋操作を分かりやすくする情報処理装置を提供する。【解決手段】情報処理装置の連結手段は、第２の台紙に関連する付箋を貼り付けることができる第１の台紙上で、複数の該付箋間の関係にしたがって、該付箋に関連する第２の台紙を連結する。【選択図】図１
2019062489.tif 000002
【特許請求の範囲】
【請求項１】
第２の台紙に関連する付箋を貼り付けることができる第１の台紙上で、複数の該付箋間の関係にしたがって、該付箋に関連する第２の台紙を連結する連結手段
を有する情報処理装置。
【請求項２】
前記連結手段によって連結された複数の第２の台紙間で、一方の第２の台紙上に貼り付けられた付箋を他方の第２の台紙に移動又は複写する移動複写手段
をさらに有する請求項１に記載の情報処理装置。
【請求項３】
前記付箋間の関係として、付箋を重ね合わせた場合の位置関係、付箋間が予め定められた距離内にある場合の位置関係のいずれか１つ以上を用いる、
請求項１又は２に記載の情報処理装置。
【請求項４】
前記連結手段は、前記位置関係にしたがって、前記第２の台紙を連結する辺を決定して、連結を行う、
請求項３に記載の情報処理装置。
【請求項５】
前記付箋間の関係として、付箋間を接続する線によって生じる関係を用いる、
請求項１に記載の情報処理装置。
【請求項６】
前記接続された付箋の辺にしたがって、前記第２の台紙を連結する辺を決定して、連結を行う、
請求項５に記載の情報処理装置。
【請求項７】
前記移動複写手段は、第２の台紙間で連結された辺を跨いで、付箋の移動又は複写の操作が行われる、
請求項２に記載の情報処理装置。
【請求項８】
前記移動複写手段における付箋の移動又は複写の操作は、第２の台紙上での付箋の移動又は複写の操作と同じである、
請求項７に記載の情報処理装置。
【請求項９】
第１の台紙を複数の第２の台紙に分割する分割手段
を有する情報処理装置。
【請求項１０】
前記分割手段は、前記第２の台紙に対応する前記第１の台紙上での位置に付箋がある場合は、該付箋を、該第２の台紙上に生成する、
請求項９に記載の情報処理装置。
【請求項１１】
前記第１の台紙上にある付箋は、前記第２の台紙に関連する付箋である、
請求項１０に記載の情報処理装置。
【請求項１２】
前記分割手段は、前記第２の台紙に対応する前記第１の台紙上での位置に付箋がない場合は、該第１の台紙での位置に前記第２の台紙に関連する付箋を生成する、
請求項９に記載の情報処理装置。
【請求項１３】
前記分割手段は、前記第１の台紙上に生成された付箋に対応する付箋を前記第２の台紙上に生成する、
請求項１２に記載の情報処理装置。
【請求項１４】
コンピュータを、
第２の台紙に関連する付箋を貼り付けることができる第１の台紙上で、複数の該付箋間の関係にしたがって、該付箋に関連する第２の台紙を連結する連結手段
として機能させるための情報処理プログラム。
【請求項１５】
コンピュータを、
第１の台紙を複数の第２の台紙に分割する分割手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、グループウェアの機能間における多様な情報を連携させ、利用者の操作性を向上するネットワークシステム、サーバー装置、及びグループウェアプログラムを提供することを課題とし、クライアント装置と、前記クライアント装置にグループウェア機能を提供するサーバー装置とがネットワークを介して接続されるネットワークシステムであって、前記サーバー装置は、グループウェア機能を実現するための作業フィールドであって、少なくともスケジュール管理を行うスケジュールウインドウを含む複数のウインドウに関する情報と、前記ウインドウ上に重畳して表示させる画像オブジェクトに関する情報と、前記画像オブジェクトを前記複数のウインドウのいずれのウインドウ上にも表示可能とする、前記画像オブジェクトに付帯するデータとを記憶する記憶手段と、前記記憶手段により記憶された複数のウインドウに関する情報と、画像オブジェクトに関する情報と、当該画像オブジェクトに付帯するデータとを、前記クライアント装置に送信する送信手段とを有し、前記クライアント装置は、表示手段と、前記送信手段により送信された複数のウインドウに関する情報に基づいて、スケジュールウインドウとスケジュールウインドウ以外のウインドウとを前記表示手段に表示させるウインドウ表示手段と、前記送信手段により送信された画像オブジェクトに関する情報と当該画像オブジェクトに付帯するデータとに基づいて、前記画像オブジェクトを前記スケジュールウインドウ又は前記スケジュールウインドウ以外のウインドウ上に重畳させて前記表示手段に表示させる画像オブジェクト表示手段と、前記表示手段によりウインドウ上に重畳させて表示されている画像オブジェクトを、当該ウインドウ上から他のウインドウ上へ移動又は複写操作させる操作手段と、前記操作手段により画像オブジェクトが移動又は複写操作されたとき、前記サーバー装置に当該画像オブジェクトに付帯するデータの更新要求を行う更新要求手段とを有し、前記操作手段により前記スケジュールウインドウ以外のウインドウ上に重畳させて表示されている画像オブジェクトを前記スケジュールウインドウ上へ移動又は複写操作されたとき、前記記憶手段は、前記更新要求手段からの更新要求に基づいて、前記移動又は複写操作された画像オブジェクトに付帯するデータを継承しつつ、前記スケジュールウインドウに対応付けた情報を当該データに格納し、前記画像オブジェクト表示手段は、前記移動又は複写操作された画像オブジェクトを、当該画像オブジェクトに付帯するデータの前記スケジュールウインドウに対応付けられた情報に基づいて、前記スケジュールウインドウ上に重畳して前記表示手段に表示させることが開示されている。
【０００３】
特許文献２には、第１のページに付加されたオブジェクトにより、第１のページと並べて表示される第２のページの視認度合いが低下するのを防止することを課題とし、指定された位置にオブジェクトが付加された第１ページと、第２ページとを表示部に表示する表示制御手段と、前記第１ページ又は前記第２ページのいずれかを選択する選択手段と、前記第１ページと前記第２ページとを重ならずに並べ、前記オブジェクトと前記第２ページとが重なる場合であって、前記第２ページが選択された場合に、前記表示部に表示された前記第２ページの視認度合いが当該重なりにより低下するのを防止する処理を行う処理手段とを有することが開示されている。
【０００４】
特許文献３には、データ処理装置で表示される電子文書の属性に適応して表示操作の受け付ける方式を動的に切り替えて、電子文書の閲覧性とユーザーの行う操作性とをともに向上できる閲覧プログラムを生成することを課題とし、データ処理装置と通信する情報処理装置において、生成されたページデータと、作成されたページ間の関連情報とから電子文書のページ間を閲覧する際に、前記データ処理装置で電子文書を表示する方式をページめくり操作で表示する第１の方式から、前記第１の方式とは異なるページスクロール操作で表示する第２の方式に切り替える閲覧プログラムを生成し、生成された閲覧プログラムを前記データ処理装置に送信することが開示されている。
【０００５】
特許文献４には、コンテンツの視認性が低下することを防止することを課題とし、配信装置は、配信部を有し、配信部は、制御情報とともに第１コンテンツを端末装置に配信し、制御情報は、第１コンテンツと第２コンテンツとを重ねて表示する表示手順と、表示手順によって表示されている第１コンテンツを移動させる移動操作を検知する検知手順と、検知手順によって移動操作が検知された場合に、第２コンテンツの表示態様を変動させる変動手順と、を端末装置に実行させることが開示されている。
【先行技術文献】
【特許文献】
【０００６】
【特許文献１】特許第５２１２３１０号公報
【特許文献２】特許第５７３３３４２号公報
【特許文献３】特開２０１６−００４４２８号公報
【特許文献４】特開２０１５−１５８９１５号公報
【発明の概要】
【発明が解決しようとする課題】
【０００７】
参加者毎に異なる台紙を用いて作業を行った後、参加者が集まって一方の台紙から他方の台紙に付箋を移動させる等の、台紙間にまたがる作業を行いたい場合がある。
一般的な電子付箋システムの場合、１）移動元の台紙で付箋を選択する、２）移動先の別の台紙を選択する、３）付箋を移動先に移動させる、という操作が行われる必要がある。
しかし、電子付箋システムにおいて、台紙上に貼られた付箋を移動する場合、付箋を選択して指などを使って直接移動元から移動先に移動できることが望ましい。もし、別の台紙へ直接移動できなければ、操作性が低下する（付箋を移動させる際に、付箋の移動以外にも参加者に操作が求められる）ことは避けられない。
これを回避するために、複数の台紙を見かけ上連結して、台紙間の移動であっても１つの台紙上に見せかける方法がある。例えば先行技術文献に記載されている技術例のように、複数ページからなるドキュメントに貼り付けた付箋は、ページを画面上で連続表示させることでページ間でもページ内と同様に付箋移動ができる。
一方で、台紙を使った付箋作業については、台紙間でどのように連結されればよいかはあらかじめ自明でないことが多い。紙の台紙（電子付箋システムを用いていない、電子の台紙ではなく、実際の紙の台紙）に紙の付箋を貼り付けて、その付箋を別の台紙に貼りつける場合に、２つの台紙をどのように近づければ移動がしやすいかは、それぞれの台紙上での作業結果にしたがうのと同じことである。
本発明は、付箋を移動させる際に参加者が逐次移動先の台紙を選択する場合に比べて、台紙間にまたがる付箋操作を分かりやすくする情報処理装置及び情報処理プログラムを提供することを目的とする。
【課題を解決するための手段】
【０００８】
かかる目的を達成するための本発明の要旨とするところは、次の各項の発明に存する。
請求項１の発明は、第２の台紙に関連する付箋を貼り付けることができる第１の台紙上で、複数の該付箋間の関係にしたがって、該付箋に関連する第２の台紙を連結する連結手段を有する情報処理装置である。
【０００９】
請求項２の発明は、前記連結手段によって連結された複数の第２の台紙間で、一方の第２の台紙上に貼り付けられた付箋を他方の第２の台紙に移動又は複写する移動複写手段をさらに有する請求項１に記載の情報処理装置である。
【００１０】
請求項３の発明は、前記付箋間の関係として、付箋を重ね合わせた場合の位置関係、付箋間が予め定められた距離内にある場合の位置関係のいずれか１つ以上を用いる、請求項１又は２に記載の情報処理装置である。
【００１１】
請求項４の発明は、前記連結手段は、前記位置関係にしたがって、前記第２の台紙を連結する辺を決定して、連結を行う、請求項３に記載の情報処理装置である。
【００１２】
請求項５の発明は、前記付箋間の関係として、付箋間を接続する線によって生じる関係を用いる、請求項１に記載の情報処理装置である。
【００１３】
請求項６の発明は、前記接続された付箋の辺にしたがって、前記第２の台紙を連結する辺を決定して、連結を行う、請求項５に記載の情報処理装置である。
【００１４】
請求項７の発明は、前記移動複写手段は、第２の台紙間で連結された辺を跨いで、付箋の移動又は複写の操作が行われる、請求項２に記載の情報処理装置である。
【００１５】
請求項８の発明は、前記移動複写手段における付箋の移動又は複写の操作は、第２の台紙上での付箋の移動又は複写の操作と同じである、請求項７に記載の情報処理装置である。
【００１６】
請求項９の発明は、第１の台紙を複数の第２の台紙に分割する分割手段を有する情報処理装置である。
【００１７】
請求項１０の発明は、前記分割手段は、前記第２の台紙に対応する前記第１の台紙上での位置に付箋がある場合は、該付箋を、該第２の台紙上に生成する、請求項９に記載の情報処理装置である。
【００１８】
請求項１１の発明は、前記第１の台紙上にある付箋は、前記第２の台紙に関連する付箋である、請求項１０に記載の情報処理装置である。
【００１９】
請求項１２の発明は、前記分割手段は、前記第２の台紙に対応する前記第１の台紙上での位置に付箋がない場合は、該第１の台紙での位置に前記第２の台紙に関連する付箋を生成する、請求項９に記載の情報処理装置である。
【００２０】
請求項１３の発明は、前記分割手段は、前記第１の台紙上に生成された付箋に対応する付箋を前記第２の台紙上に生成する、請求項１２に記載の情報処理装置である。
【００２１】
請求項１４の発明は、コンピュータを、第２の台紙に関連する付箋を貼り付けることができる第１の台紙上で、複数の該付箋間の関係にしたがって、該付箋に関連する第２の台紙を連結する連結手段として機能させるための情報処理プログラムである。
【００２２】
請求項１５の発明は、コンピュータを、第１の台紙を複数の第２の台紙に分割する分割手段として機能させるための情報処理プログラムである。
【発明の効果】
【００２３】
請求項１の情報処理装置によれば、付箋を移動させる際に参加者が逐次移動先の台紙を選択する場合に比べて、台紙間にまたがる付箋操作を分かりやすくする。
【００２４】
請求項２の情報処理装置によれば、付箋を移動させる際に参加者が逐次移動先の台紙を選択する場合に比べて、台紙間にまたがる付箋操作を容易にする。
【００２５】
請求項３の情報処理装置によれば、付箋を重ね合わせた場合の位置関係、付箋間が予め定められた距離内にある場合の位置関係のいずれか１つ以上にしたがって、第２の台紙を連結することができる。
【００２６】
請求項４の情報処理装置によれば、付箋の位置関係にしたがって、第２の台紙を連結する辺を決定することができる。
【００２７】
請求項５の情報処理装置によれば、付箋間を接続する線によって生じる関係にしたがって、第２の台紙を連結することができる。
【００２８】
請求項６の情報処理装置によれば、接続された付箋の辺にしたがって、第２の台紙を連結する辺を決定することができる。
【００２９】
請求項７の情報処理装置によれば、台紙間で連結された辺を跨いで、付箋を移動又は複写することができる。
【００３０】
請求項８の情報処理装置によれば、台紙間の付箋の移動又は複写の操作を、第２の台紙上での付箋の移動又は複写の操作と同じとすることができる。
【００３１】
請求項９の情報処理装置によれば、台紙を複数の台紙に分割することができる。
【００３２】
請求項１０の情報処理装置によれば、分割前の台紙上での付箋を、分割後の台紙上に生成することができる。
【００３３】
請求項１１の情報処理装置によれば、分割前の台紙上にある付箋を、分割後の台紙に関連する付箋とすることができる。
【００３４】
請求項１２の情報処理装置によれば、分割後の台紙に対応する分割前の台紙上での位置に付箋がない場合は、分割前の台紙での位置に分割後の台紙に関連する付箋を生成することができる。
【００３５】
請求項１３の情報処理装置によれば、分割前の台紙上に生成された付箋に対応する付箋を分割後の台紙上に生成することができる。
【００３６】
請求項１４の情報処理プログラムによれば、付箋を移動させる際に参加者が逐次移動先の台紙を選択する場合に比べて、台紙間にまたがる付箋操作を分かりやすくする。
【００３７】
請求項１５の情報処理プログラムによれば、台紙を複数の台紙に分割することができる。
【図面の簡単な説明】
【００３８】
【図１】第１の実施の形態の構成例についての概念的なモジュール構成図である。
【図２】本実施の形態を利用した電子付箋システム構成例を示す説明図である。
【図３】本実施の形態が使用される会議室等における、電子付箋端末、電子付箋制御装置の使用例を示す説明図である。
【図４】第１の実施の形態による処理例を示す説明図である。
【図５】第１の実施の形態による処理例を示す説明図である。
【図６】第１の実施の形態による処理例を示す説明図である。
【図７】第１の実施の形態による処理例を示す説明図である。
【図８】第１の実施の形態による処理例を示す説明図である。
【図９】台紙情報テーブルのデータ構造例を示す説明図である。
【図１０】付箋情報テーブルのデータ構造例を示す説明図である。
【図１１】第１の実施の形態による処理例を示すフローチャートである。
【図１２】第１の実施の形態による処理例を示す説明図である。
【図１３】第１の実施の形態による処理例を示すフローチャートである。
【図１４】第１の実施の形態による処理例を示す説明図である。
【図１５】第１の実施の形態による処理例を示すフローチャートである。
【図１６】第１の実施の形態による処理例を示す説明図である。
【図１７】第２の実施の形態の構成例についての概念的なモジュール構成図である。
【図１８】第２の実施の形態による処理例を示す説明図である。
【図１９】第２の実施の形態による処理例を示す説明図である。
【図２０】第２の実施の形態による処理例を示す説明図である。
【図２１】第２の実施の形態による処理例を示す説明図である。
【図２２】第２の実施の形態による処理例を示す説明図である。
【図２３】付箋情報テーブルのデータ構造例を示す説明図である。
【図２４】第２の実施の形態による処理例を示すフローチャートである。
【図２５】第２の実施の形態による処理例を示す説明図である。
【図２６】本実施の形態を実現するコンピュータのハードウェア構成例を示すブロック図である。
【発明を実施するための形態】
【００３９】
以下、図面に基づき本発明を実現するにあたっての好適な各種の実施の形態の例を説明する。
＜第１の実施の形態＞
図１は、第１の実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００４０】
第１の実施の形態である電子付箋制御装置１００（情報処理装置の一例）は、会合において用いられる台紙と付箋（電子付箋、電子カード等ともいわれる）に関する処理を行うものであって、図１の例に示すように、台紙情報記憶モジュール１０５、付箋情報記録モジュール１１０、付箋属性情報記憶モジュール１１５、付箋画面表示モジュール１２０、付箋操作処理モジュール１２５、付箋画面制御モジュール１３０、付箋位置判定モジュール１３５、台紙連結制御モジュール１４０を有している。なお、会合は、複数人が集まって話し合うことであればよく、例えば、会議、ワークショップ、アイデア抽出会、検討会、相談、議論、集会、ミーティング等を含む。本実施の形態は、電子的な付箋と台紙を利用した電子付箋システム（電子白板等ともいわれる）にかかるものである。
電子付箋制御装置１００は、具体的には、付箋を用いて、ファシリテーター（一般的には１人）と複数人の参加者によって行われる会合で利用される。参加者は参加者用端末としての電子付箋端末２５０を用いて、アイデア等が記載された付箋を作成する。一般的に、図３の例に示すように、電子付箋端末２５０として、各参加者が所持する電子付箋端末２５０Ａ、電子付箋端末２５０Ｂ等（以下、代表して電子付箋端末２５０という）のように複数ある。そして、電子付箋制御装置１００は、電子付箋端末２５０から付箋を受け取って、台紙（又は背景）上にその付箋を貼り付ける。ファシリテーターは電子付箋制御装置１００の表示装置である共有画面を用いて、その台紙上で、付箋の位置を決定又は変更したり、付箋をまとめたり（第１の付箋と第２の付箋を関連付けること、グループ形成等ともいわれる）、自らも付箋情報の作成等を行って、その会合を進行させる。なお、本実施の形態において、参加者には、ファシリテーターを含む。
【００４１】
台紙間で付箋のやりとりを行う場合、移動元の台紙から付箋を移動（削除）して、新たな貼り付け先の台紙を指定して貼り付けなければならない。
台紙と台紙の間でグラフィカルに付箋を移動させるためには、１つの画面上に台紙を複数表示することで可能となるが、対象となる台紙の選択にも手間がかかる。
背景技術で挙げた特許文献に記載の技術では、複数画面や文書における、付箋の貼り付けの属性の抽出、表示はあるが、いずれも電子付箋システムとしての操作を意識したものではなく、操作性がよくない。
前記特許文献に記載の技術では、付箋の移動、複写を行うことを中心に考えられておらず、複数画面間でどうオブジェクトを扱うかに焦点があたっている。
一方、物理的な紙の付箋の操作を考えると、付箋を貼り付ける先が同じ紙の上かどうかに関わらず、付箋を取り上げて貼り付ける操作が可能である。電子付箋システムにおける付箋の移動も、移動動作は画面や文書を跨ぐか否かに関わらず、同様の操作で完結できることが人間にとって分かりやすく望ましい。前記特許文献に記載の技術では、画面や文書を跨ぐか否かで移動操作が異なり、面倒な操作をしなければならなかった。
そこで、電子付箋システムである電子付箋制御装置１００において、付箋に台紙を関連付けた上で、以下の処理ができるようにする。「付箋に台紙を関連付ける」とは、例えば、台紙を示すリンク情報を、付箋に持たせればよい。
（１）台紙を関連付けた付箋を重ね合わせる操作で、リンク先の台紙を連結させること。
（２）連結した台紙間では、連結辺をまたがる付箋の移動が行えるようにすること。なお、連結辺をまたがる以外の移動は、通常通りの移動である。また、連結辺とは、矩形である２つの台紙を連結した場合の、連結部分の辺（互いの矩形の辺で、連結することによって重なり合っている辺）のことをいう。
【００４２】
台紙情報記憶モジュール１０５は、付箋画面制御モジュール１３０と接続されている。台紙情報記憶モジュール１０５は、台紙に関する情報を記憶している。例えば、第１の台紙であるか、第２の台紙であるかを示すフラグ等を記憶している。具体的には、後述する図９の例に示す台紙情報テーブル９００等を記憶している。
付箋情報記録モジュール１１０は、付箋属性情報記憶モジュール１１５、付箋画面制御モジュール１３０と接続されている付箋情報記録モジュール１１０は、付箋画面制御モジュール１３０の制御にしたがって、付箋に関する情報（例えば、属性情報等）を付箋属性情報記憶モジュール１１５に記憶させる。
付箋属性情報記憶モジュール１１５は、付箋情報記録モジュール１１０と接続されている。付箋属性情報記憶モジュール１１５は、付箋情報記録モジュール１１０の制御にしたがって、各付箋の属性情報を記憶している。属性情報として、例えば、付箋が貼り付けられている台紙の台紙ＩＤ、貼り付けられている台紙内での位置、大きさ、台紙に関連する付箋であるか否かを示すフラグ等を記憶している。具体的には、後述する図１０の例に示す付箋情報テーブル１０００等を記憶している。また、台紙に貼り付けられている付箋のリストを記憶していてもよい。具体的には、台紙毎に付箋ＩＤのリスト等を記憶していてもよい。
【００４３】
付箋画面表示モジュール１２０は、付箋画面制御モジュール１３０と接続されている。付箋画面表示モジュール１２０は、電子付箋制御装置１００に接続されている液晶ディスプレイ（特に大型液晶ディスプレイ）等の表示装置への表示を制御する。ファシリテーター等の操作を反映したり、電子付箋端末２５０から送信されてきた付箋を表示したりする。
付箋操作処理モジュール１２５は、付箋画面制御モジュール１３０と接続されている。付箋操作処理モジュール１２５は、ファシリテーター等による付箋又は台紙に対する操作を受け付け、その操作にしたがった処理を行う。ここで付箋に対する操作として、例えば、付箋の作成、付箋の移動、拡大・縮小、付箋の属性（例えば、色等）の変更、グループ化等がある。また、台紙に対する操作として、例えば、台紙の変更、台紙の変更に伴う付箋の移動、台紙と付箋との関連付け（台紙に関連付けられた付箋の生成）等を含めてもよい。
【００４４】
付箋画面制御モジュール１３０は、台紙情報記憶モジュール１０５、付箋情報記録モジュール１１０、付箋画面表示モジュール１２０、付箋操作処理モジュール１２５、付箋位置判定モジュール１３５、台紙連結制御モジュール１４０と接続されている。付箋画面制御モジュール１３０は、電子付箋制御装置１００全体の処理を制御する。例えば、電子付箋端末２５０に対して付箋と台紙に関する情報を送信し、電子付箋端末２５０から付箋の情報を受信し、台紙上に貼り付ける。また、複数の台紙の連結等を行う。
【００４５】
付箋位置判定モジュール１３５は、付箋画面制御モジュール１３０と接続されている。付箋位置判定モジュール１３５は、第１の台紙上において、第２の台紙に関連する複数の付箋間の関係を抽出し、第２の台紙同士を連結する関係にあるか否かを判定する。第１の台紙は、台紙の連結操作ができる台紙であって、複数人の操作者によって共有され得る台紙（以下、共有台紙ともいう）である。第２の台紙は、各担当者（操作者）が用いる台紙であって、主に作業が行われる台紙（以下、作業台紙ともいう）である。連結対象となる台紙である。
「第２の台紙に関連する付箋」とは、その付箋と第２の台紙とが対応していることをいい（その付箋が第２の台紙を代表又は代替しているといってもよい）、第１の台紙上でその付箋を指定すると、第２の台紙を指定することを意味している。具体的には、付箋に第２の台紙へのリンクを張ることによって実現できる。
「複数の付箋間の関係」は、例えば、第１の台紙の操作者（例えば、ファシリテーター）の操作によって生成される。具体的には、（１）「付箋を重ね合わせる」（図１１、図１２を用いて後述）、（２）「付箋を予め定められた距離以内に近づける」（図１３、図１４を用いて後述）、（３）「連結を示す線を用いて、両者の付箋を接続する」（図１５、図１６を用いて後述）等がある。このうち、「付箋を重ね合わせる」、「付箋を予め定められた距離以内に近づける」の操作が行われたことの判定は、付箋の位置を抽出して判定することができる。「連結を示す線を用いて、両者の付箋を接続する」の判定は、付箋を接続する接続線によって判定することができる。
【００４６】
台紙連結制御モジュール１４０は、付箋画面制御モジュール１３０と接続されている。台紙連結制御モジュール１４０は、第２の台紙に関連する付箋を貼り付けることができる第１の台紙上で、複数のその付箋間の関係（付箋位置判定モジュール１３５による判定結果）にしたがって、その付箋に関連する第２の台紙を連結する。なお、連結する台紙の数は、２つであってもよいし、３つ以上であってもよい。以下、主に２つの台紙を対象として説明するが、３つ以上の台紙の連結の場合は、３つ以上の付箋（第２の台紙に関連する付箋）間の関係にしたがって、台紙を連結するようにしてもよいし、２つの連結した台紙にさらに台紙を連結するように処理してもよい。
ここで「付箋間の関係」として、付箋を重ね合わせた場合の位置関係、付箋間が予め定められた距離内にある場合の位置関係のいずれか１つ以上を用いるようにしてもよい。
そして、台紙連結制御モジュール１４０は、その位置関係にしたがって、第２の台紙を連結する辺（連結辺ともいう）を決定して、連結を行うようにしてもよい。
【００４７】
また、「付箋間の関係」として、付箋間を接続する線によって生じる関係を用いるようにしてもよい。
そして、台紙連結制御モジュール１４０は、接続された付箋の辺にしたがって、第２の台紙を連結する辺を決定して、連結を行うようにしてもよい。
【００４８】
また、付箋操作処理モジュール１２５は、連結された複数の第２の台紙間で、一方の第２の台紙上に貼り付けられた付箋を他方の第２の台紙に移動又は複写するようにしてもよい。そして、付箋操作処理モジュール１２５は、ユーザーの操作によって、連結された第２の台紙間で連結された辺を跨いで、付箋の移動又は複写の操作が行われることを受け付けて、その移動又は複写の処理を行う。なお、この連結された台紙間における付箋の移動又は複写の操作は、単独の第２の台紙上での付箋の移動又は複写の操作と同じである。つまり、ユーザーにとっては、一般的な台紙における付箋の移動又は複写の操作と同じに（違和感なく）、台紙間で付箋を移動又は複写させることができる。
【００４９】
図２は、本実施の形態を利用した電子付箋システムの構成例を示す説明図である。電子付箋制御装置１００は、一般的に大画面の表示装置を備えており、ファシリテーターによって操作される。この表示装置は、参加者全員が見ることができるものである。各電子付箋端末２５０は、会合における参加者によって操作され、一般的には、各参加者が１台ずつ所持している。例えば、電子付箋端末２５０として、タブレット型端末等が使用される。
図２の例では、会議室２８０Ａには、電子付箋制御装置１００Ａ、電子付箋端末２５０Ａ、電子付箋端末２５０Ｂ、電子付箋端末２５０Ｃが設置されており、会合が行われる。電子付箋制御装置１００Ａ、電子付箋端末２５０Ａ、電子付箋端末２５０Ｂ、電子付箋端末２５０Ｃは、通信回線２９８を介してそれぞれ接続されている。通信回線２９８は、無線、有線、これらの組み合わせであってもよく、例えば、通信インフラとしてのインターネット、イントラネット等であってもよい。
また、会議室２８０Ｂには、電子付箋制御装置１００Ｂ、電子付箋端末２５０Ｄ、電子付箋端末２５０Ｅが設置されており、会合が行われる。電子付箋制御装置１００Ｂ、電子付箋端末２５０Ｄ、電子付箋端末２５０Ｅは、通信回線２９８を介してそれぞれ接続されている。
【００５０】
そして、ユーザー端末２１０Ａ、ユーザー端末２１０Ｂ、台紙・付箋情報記憶装置２９４、会議室２８０Ａ内の機器、会議室２８０Ｂ内の機器は、通信回線２９９を介してそれぞれ接続されている。また、台紙・付箋情報記憶装置２９４による機能は、クラウドサービスとして実現してもよい。
【００５１】
台紙・付箋情報記憶装置２９４は、付箋に関する情報を記憶している。各電子付箋制御装置１００は、台紙・付箋情報記憶装置２９４を用いて処理を行う。この場合、台紙・付箋情報記憶装置２９４内の台紙と付箋に関する情報を複数の電子付箋制御装置１００で共有してもよい。つまり、電子付箋制御装置１００Ａが管理している台紙と付箋に関する情報を、電子付箋制御装置１００Ｂが利用できるようにしてもよい。
また、例えば、各電子付箋端末２５０で作業が行われていた台紙（第２の台紙）を、電子付箋制御装置１００で操作されている台紙（第１の台紙）で連結させるようにしてもよい。
【００５２】
図３は、本実施の形態が使用される会議室等における、電子付箋端末２５０、電子付箋制御装置１００の使用例を示す説明図である。
図３（ａ）の例に示すように、会議室等内に、参加者３１１、３１２、ファシリテーター３２１が集まっている。参加者３１１は電子付箋端末２５０Ａを利用し、参加者３１２は電子付箋端末２５０Ｂを利用する。一般的に、端末装置（電子付箋端末２５０Ａ等）は参加者１人に１個付与されており、図３（ｃ）の例に示す電子付箋端末２５０のように、ノート程度の大きさ（例えば、Ａ４、Ｂ５、７〜１０インチ等）のタブレット型の端末であり、指又はペン等を用いて操作されるものである。参加者によって、テキストデータ、手書きの文字、図形等が記載された付箋情報が作成される。なお、端末装置は、タブレット型の端末に限られず、キーボード、マウス等を備えたＰＣ（ノートＰＣを含む）等であってもよい。
図３（ａ）の例に示す電子付箋制御装置１００ｘは、プロジェクターであって、台紙及び付箋を表示する。また、電子付箋制御装置１００ｙは、電子白板であって、ファシリテーター３２１の指又はペン等の動きを検知して、付箋を台紙（表）に貼り付けること、付箋の移動、付箋の関連付け（グループ化）を行うこと等の操作を受け付けるものである。例えば、電子付箋制御装置１００ｙにペンが備えられており、そのペンが予め定められたペン置きから離れたこと（ファシリテーター３２１が操作するためにペンを持ち上げたこと）、そしてペンの先端の位置（ペン先端が電子付箋制御装置１００ｙに触れたこと等）を検知することによって、台紙、付箋に対する操作を受け付ける。例えば、ペン置きにセンサー（ペンの重力でスイッチがオンオフとなるセンサー等）を設け、複数のペン（黒色のペン、赤色のペン、青色のペン等）のうち、どのペンが用いられているかを検知すればよい。また、電子付箋制御装置１００ｙの表示画面全体がタッチセンサーであり、表示画面に触れられた位置、圧力を検知すればよい。本例では、ペンのオンオフはペン置きによって制御するが、必ずしもペン置きがある必要はない。ペン側で直接オンオフを制御できるようにしても構わない。色の変更に関してもペン置きを必要とせずに、表示画面上の一部分にカラーパレットを用意しておき、目的の色をペン（又は、それに類するもの）がタッチすることで色を変更したり、ペンに色を変える指示をするための機能（ボタンやスライダ等）が備わっていたりしても構わない。
また、電子付箋制御装置１００は、図３（ｂ）の例に示すような電子ボードであってもよい。電子ボードは、一般的に大画面の表示装置（少なくとも、電子付箋端末２５０の表示装置よりも大きい）を有しており、その表示装置はタッチパネルであり、表示画面に触れられた位置、圧力を検知する。例えば、画面として、８０インチ等の大きさを備えたものであってもよい。
【００５３】
図４〜図８を用いて、台紙の連結処理の一例を説明する。
図４は、第１の実施の形態による処理例を示す説明図である。
ユーザー４５０Ａ、ユーザー４５０Ｂ、ユーザー４５０Ｃによって構成されているチームがある。つまり、このチームによって作業が行われる。しかし、常に３人が一緒の作業を行うわけではなく、分担作業が発生する場合がある。
例えば、３人で作業を行う場合は、共有台紙４００上で付箋貼り付け等の作業を行い、分担作業では、各人（ここでは、ユーザー４５０Ａ、ユーザー４５０Ｂ）が各人の台紙（ここでは、作業台紙４１５、作業台紙４２５）上で付箋貼り付け等の作業を行う。そして、その作業結果である作業台紙４１５、作業台紙４２５を連結して、さらなる作業を行う必要がある場合がある。
そこで、図４（ａ）の例に示すように、共有台紙４００上で付箋４１０、付箋４２０を作成する。
そして、図４（ｂ）の例に示すように、付箋４１０、付箋４２０は、それぞれ作業台紙４１５、作業台紙４２０にリンクされ、担当者（ユーザー４５０Ａ、ユーザー４５０Ｂ）がアサインされる。ここで、付箋４１０、付箋４２０は、「第２の台紙に関連する付箋」の例示である。
具体的には、ユーザー４５０Ａは、作業台紙４１５の担当者としてアサインされ、作業台紙４１５上で作業リストを作成する。ユーザー４５０Ｂは、作業台紙４２５の担当者としてアサインされ、作業台紙４２５上で作業リストを作成する。
なお、共有台紙４００上では、未だ付箋４１０と付箋４２０とを連結する操作は行われていない。したがって、図４（ｂ）、（ｃ）の例に示すように、ユーザー４５０Ａ、ユーザー４５０Ｂは、それぞれ個別に、作業台紙４１５、作業台紙４２５上で作業を行うことになる。
【００５４】
図５は、第１の実施の形態による処理例を示す説明図である。
ユーザー４５０Ｂが作業台紙４２５上で作業を行い、ユーザー４５０Ａが作業台紙４１５上で作業を行った結果、作業台紙４２５上には、作業リストである付箋５２２、付箋５２４、付箋５２６が貼り付けられ、作業台紙４１５上には、作業リストである付箋５１２、付箋５１４、付箋５１６が貼り付けられている。
ここで、ユーザー４５０Ａとユーザー４５０Ｂとの間で共同作業が必要になったとする。例えば、本来ユーザー４５０Ａが担当する作業リストの付箋５２２を、ユーザー４５０Ｂが作業台紙４２５上で作成したが、ユーザー４５０Ａに担当させるために、作業台紙４２５上の付箋５２２を作業台紙４１５に移動させたい場合等がある。
【００５５】
図６は、第１の実施の形態による処理例を示す説明図である。
作業台紙４１５と作業台紙４２５との間で、付箋５２２の移動操作が必要になったので、図６（ａ）の例に示すように、共有台紙４００上で、付箋４１０と付箋４２０を上下に重ね合わせる操作が行われる。この操作にしたがって、図６（ｂ）の例に示すように、付箋４１０と付箋４２０を重ね合わせた場合の位置関係にしたがって、作業台紙４１５を上に作業台紙４２５を下にして連結を行い、連結台紙６００を生成する。これによって、ユーザー４５０Ａは、作業台紙４１５以外に作業台紙４２５にアクセスでき、ユーザー４５０Ｂは、作業台紙４２５以外に作業台紙４１５にアクセスできるようになる。
【００５６】
図７は、第１の実施の形態による処理例を示す説明図である。
具体的には、連結台紙６００において、作業台紙４１５上にある付箋５１２を作業台紙４２５上に移動（付箋５１２Ｂの位置に移動）させ、作業台紙４２５上にある付箋５２２を作業台紙４１５上に移動（付箋５２２Ａの位置に移動）させることができるようになる。この操作は、単独の作業台紙４１５又は作業台紙４２５上での移動操作と同じである。つまり、通常の操作で、台紙間の付箋を移動できる。
なお、画面上で台紙を超えて（図７の例では、連結台紙６００）、外の領域へ付箋を移動しようとした場合は、その台紙をその方向（移動させる方向）に拡大して、移動先を確保するようにしてもよい。なお、そのような台紙の拡大処理は、作業台紙４１５と作業台紙４２５の連結辺（作業台紙４１５と作業台紙４２５の境界）を超える移動操作（又は複写操作）の場合は、禁止するようにしてもよい。つまり、作業台紙４１５と作業台紙４２５の連結辺を超える移動操作であったとしても、連結台紙６００内における移動操作にすぎないからであり、台紙の拡大処理は、連結後には、個々の台紙には適用しないようにしている。
【００５７】
図８は、第１の実施の形態による処理例を示す説明図である。
図８（ａ）の例に示すように、共有台紙４００上で、付箋４１０と付箋４２０を離す操作が行われた場合の処理を説明する。
連結台紙６００で作業が行われている場合は、図８（ｂ）の例に示すように、連結台紙６００をそのままとする。つまり、作業台紙４１５と作業台紙４２５を連結させたままとする。ここで「連結台紙６００で作業が行われている」か否かの判定は、連結台紙６００での作業の明示的な終了（例えば、連結台紙６００の表示終了、連結台紙６００での操作終了の操作があったこと等）があったか否かを検知してもよいし、連結台紙６００に対する操作が行われていない期間が予め定められた期間より長い又は以上であるか否かを検知等してもよい。
連結台紙６００で作業が行われていない場合は、図８（ｃ）の例に示すように、連結台紙６００を元の作業台紙４１５と作業台紙４２５に分離するようにしてもよい。つまり、その後、ユーザー４５０Ａは連結台紙６００ではなく、作業台紙４１５での作業に戻り、ユーザー４５０Ｂは連結台紙６００ではなく、作業台紙４２５での作業に戻る。
このようにすることによって、連結台紙６００で作業が行われている場合は、たとえ共有台紙４００で付箋４１０と付箋４２０を分離させる操作が行われたとしても、連結台紙６００での作業を続けることができるようになる。もちろんのことながら、連結台紙６００で作業が行われていない場合は、共有台紙４００で付箋４１０と付箋４２０を分離させる操作が行われれば、その操作が反映されて、作業台紙４１５と作業台紙４２５とで個別の作業が行われることになる。
【００５８】
図９は、台紙情報テーブル９００のデータ構造例を示す説明図である。台紙情報テーブル９００は、台紙情報記憶モジュール１０５に記憶されている。台紙情報テーブル９００は、台紙ＩＤ欄９１０、台紙パターンＩＤ欄９１５、作成日時欄９２０、作成者欄９２５、共有台紙／作業台紙フラグ欄９３０を有している。台紙ＩＤ欄９１０は、本実施の形態において、台紙を一意に識別するための情報（台紙ＩＤ）を記憶している。台紙パターンＩＤ欄９１５は、背景となる台紙パターンＩＤを記憶している。例えば、白紙のパターン、表形式のパターン等がある。さらに、台紙パターンとして、例えば、タスク管理用の台紙パターンとしてもよい。具体的には、会合参加者（タスク担当者となり得る者としてもよい）の似顔絵のアイコンを描く領域が予め定められており、会合の参加者が決定した時点で、そのアイコンを描くようにしたものであってもよい。また、会合参加者の自己紹介付箋をアイコンの代替としてもよい。さらに、管理者用の台紙として、横軸を日時として、縦軸に各担当者を割り当てたスケジュール表を用意してもよい。このスケジュール表台紙によって、台紙上でスケジュールと担当者をあわせて直感的に把握することができるようになる。また、スケジュール表台紙では、管理者は担当者がもつタスクの優先度を設定することができるようにしてもよい。作成日時欄９２０は、その台紙の作成日時を記憶している。作成者欄９２５は、その台紙の作成者を記憶している。共有台紙／作業台紙フラグ欄９３０は、共有台紙（第１の台紙）であるか、作業台紙（第２の台紙）であるかの情報（フラグ）を記憶している。
【００５９】
図１０は、付箋情報テーブル１０００のデータ構造例を示す説明図である。付箋情報テーブル１０００は、付箋属性情報記憶モジュール１１５に記憶されている。付箋情報テーブル１０００は、付箋ＩＤ欄１０１０、台紙ＩＤ欄１０１２、貼付位置欄１０１５、サイズ欄１０２０、作成日時欄１０２５、作成者欄１０３０、貼付日時欄１０３５、色欄１０４０、枠線形状欄１０４５、枠線色欄１０５０、枠線太さ欄１０５５、所属グループ欄１０６０、台紙リンクフラグ欄１０６５、リンク台紙ＩＤ欄１０７０、内容種別欄１０７５、内容欄１０８０を有している。付箋ＩＤ欄１０１０は、付箋を、本実施の形態において一意に識別するための情報（付箋ＩＤ）を記憶している。台紙ＩＤ欄１０１２は、台紙ＩＤを記憶している。貼付位置欄１０１５は、その付箋が貼り付けられる位置（例えば、付箋の中心、左上端等の位置）を記憶している。つまり、台紙上の貼り付け位置を記憶している。例えば、台紙のＸＹ座標系における座標である。サイズ欄１０２０は、その付箋のサイズを記憶している。例えば、表示する付箋が矩形である場合は、幅と高さを記憶している。作成日時欄１０２５は、その付箋が作成された日時（年、月、日、時、分、秒、秒以下、又はこれらの組み合わせであってもよい）を記憶している。作成者欄１０３０は、その付箋の作成者（作成者ＩＤ）を記憶している。又は、その付箋が作成された情報処理装置（電子付箋端末２５０又は電子付箋制御装置１００の機器ＩＤ）を記憶してもよい。貼付日時欄１０３５は、その付箋が台紙に貼り付けられた日時を記憶している。色欄１０４０は、その付箋の表示色を記憶している。枠線形状欄１０４５は、その付箋の表示における枠線の形状（実線、点線、破線、波線、二重線等）を記憶している。枠線色欄１０５０は、その付箋の表示における枠線の色を記憶している。枠線太さ欄１０５５は、その付箋の表示における枠線の太さを記憶している。所属グループ欄１０６０は、その付箋が所属しているグループに関する情報を記憶している。例えば、その付箋がグループに属しているか否かを示す情報を記憶していてもよいし、グループに属している場合は、グループＩＤやそのグループに属している他の付箋ＩＤ等を記憶していてもよい。台紙リンクフラグ欄１０６５は、その付箋に対応している台紙リンクがあるか否かを示す情報（フラグ）を記憶している。例えば、ＯＮ（その付箋に対応している台紙リンクがあることを示すフラグ状態）又はＯＦＦ（その付箋には台紙は対応していないことを示すフラグ状態、すなわち、一般的な付箋であることを示すフラグ状態）のいずれかを記憶している。リンク先台紙ＩＤ欄１０７０は、リンク先の台紙ＩＤを記憶している。もちろんのことながら、台紙リンクフラグ欄１０６５にＯＦＦが記憶されている場合は、リンク台紙ＩＤ欄１０７０は、空（ヌル）である。内容種別欄１０７５は、その付箋の内容種別（テキスト情報、手書き文字又は図形等を示すベクトルデータ、音声情報、写真等の静止画像情報、動画情報等、又はこれらの組み合わせを示す情報）を記憶している。内容欄１０８０は、その付箋に書き込まれている内容を記憶している。
【００６０】
図１１は、第１の実施の形態による処理例を示すフローチャートである。「付箋を重ね合わせる」操作によって、台紙の連結処理を行う例を示すものである。
ステップＳ１１０２では、操作者の操作にしたがって、台紙へのリンクを持つ付箋を移動する。
ステップＳ１１０４では、付箋が重なったか否かを判断し、重なった場合はステップＳ１１０６へ進み、それ以外の場合はステップＳ１１１２へ進む。
【００６１】
ステップＳ１１０６では、重なった付箋の相対位置を確認する。
図１２は、第１の実施の形態による処理例を示す説明図である。付箋１２００は台紙１２７０へのリンクを持っており、付箋１２５０は台紙１２６０へのリンクを持っている。
図１２（ａ）の例に示すように、付箋１２００を４つの重複判定領域１２１０、重複判定領域１２２０、重複判定領域１２３０、重複判定領域１２４０に分ける。
図１２（ｂ）の例に示すように、付箋１２００と付箋１２５０が重なり合った場合に、その重なり合った面積の各領域（重複判定領域１２１０、重複判定領域１２２０、重複判定領域１２３０、重複判定領域１２４０）に対する比率を算出し、最も比率が高い領域にしたがって、台紙１２６０と台紙１２７０の連結辺を決定する。
【００６２】
ステップＳ１１０８では、付箋の相対位置にしたがい、リンク先台紙の連結方向を決定する。
図１２（ｂ）の例の場合、付箋１２００と付箋１２５０の重複領域において、重複判定領域１２１０の占める面積比率が重複判定領域１２２０の面積比率より高いので、図１２（ｃ）の例に示すように、付箋１２５０のリンク先の台紙１２６０を上、付箋１２００のリンク先の台紙１２７０を下にして連結する。
【００６３】
ステップＳ１１１０では、リンク先の台紙を連結する。
ステップＳ１１１２では、付箋の重なりが無くなったか否かを判断し、無くなった場合はステップＳ１１１４へ進み、それ以外の場合はステップＳ１１０２へ戻る。
ステップＳ１１１４では、リンク先台紙の連結を解除し、ステップＳ１１０２へ戻る。なお、この場合、連結された台紙では未だ作業中である場合は、連結の解除を行わずに、連結された台紙での作業が終了するのを待って、連結の解除を行う。
【００６４】
図１３は、第１の実施の形態による処理例を示すフローチャートである。「付箋を予め定められた距離以内に近づける」操作によって、台紙の連結処理を行う例を示すものである。
ステップＳ１３０２では、操作者の操作にしたがって、台紙へのリンクを持つ付箋を移動する。
ステップＳ１３０４では、両者の付箋間の距離は閾値以下であるか否かを判断し、閾値以下の場合はステップＳ１３０６へ進み、それ以外の場合はステップＳ１３１２へ進む。
【００６５】
ステップＳ１３０６では、両者の付箋の相対位置を確認する。
図１４は、第１の実施の形態による処理例を示す説明図である。付箋１４００は台紙１４９５へのリンクを持っており、付箋１４８０は台紙１４９０へのリンクを持っている。
図１４（ａ）の例に示すように、付箋１４００の中心１４１０から半径（距離１４２０）の円である領域１４３０を生成し、４つの相対位置判定領域１４４０、相対位置判定領域１４５０、相対位置判定領域１４６０、相対位置判定領域１４７０に分ける。つまり、中心１４１０から付箋１４００の４角に直線を引いて生成された領域に分ける。
図１４（ｂ）の例に示すように、付箋１４００と付箋１４８０との距離が距離１４２０内になった場合に、図１４（ａ）の例に示した円と付箋１４８０との重なり合った面積の各領域（相対位置判定領域１４４０、相対位置判定領域１４５０、相対位置判定領域１４６０、相対位置判定領域１４７０）に対する比率を算出し、最も比率が高い領域にしたがって、台紙１４９０と台紙１４９５の連結辺を決定する。
【００６６】
ステップＳ１３０８では、付箋の相対位置にしたがい、リンク先台紙の連結方向を決定する。
図１４（ｂ）の例の場合、領域１４３０内において、付箋１４８０の占める面積比率が最大であるのが相対位置判定領域１４４０であるので、付箋１４８０のリンク先の台紙１４９０を上、付箋１４００のリンク先の台紙１４９５を下にして連結する。
【００６７】
ステップＳ１３１０では、リンク先の台紙を連結する。
ステップＳ１３１２では、付箋の重なりが無くなったか否かを判断し、無くなった場合はステップＳ１３１４へ進み、それ以外の場合はステップＳ１３０２へ戻る。
ステップＳ１３１４では、リンク先台紙の連結を解除し、ステップＳ１３０２へ戻る。なお、この場合、連結された台紙では未だ作業中である場合は、連結の解除を行わずに、連結された台紙での作業が終了するのを待って、連結の解除を行う。
【００６８】
図１５は、第１の実施の形態による処理例を示すフローチャートである。「連結を示す線を用いて、両者の付箋を接続する」操作によって、台紙の連結処理を行う例を示すものである。
ステップＳ１５０２では、操作者の操作にしたがって、台紙へのリンクを持つ付箋間を連結線で接続する。
ステップＳ１５０４では、付箋が連結線で接続されたか否かを判断し、接続された場合はステップＳ１５０６へ進み、それ以外の場合はステップＳ１５１２へ進む。
ステップＳ１５０６では、接続された付箋の相対位置を確認する。
【００６９】
ステップＳ１５０８では、付箋の相対位置にしたがい、リンク先台紙の連結方向を決定する。
ステップＳ１５１０では、リンク先の台紙を連結する。
ステップＳ１５１２では、付箋の重なりが無くなったか否かを判断し、無くなった場合はステップＳ１５１４へ進み、それ以外の場合はステップＳ１５０２へ戻る。
ステップＳ１５１４では、リンク先台紙の連結を解除し、ステップＳ１５０２へ戻る。なお、この場合、連結された台紙では未だ作業中である場合は、連結の解除を行わずに、連結された台紙での作業が終了するのを待って、連結の解除を行う。
【００７０】
図１６は、第１の実施の形態による処理例（図１５の例に示すフローチャート）を示す説明図である。
図１６（ａ１）、（ａ２）の例に示すように、付箋１６１０ａの下辺と付箋１６２０ａの上辺が連結線１６３０ａによって接続されているので、付箋１６１０ａのリンク先の台紙１６４０ａを上、付箋１６２０ａのリンク先の台紙１６５０ａを下にして連結する。
図１６（ｂ１）、（ｂ２）の例に示すように、付箋１６１０ｂの右辺と付箋１６２０ｂの左辺が連結線１６３０ｂによって接続されているので、付箋１６１０ｂのリンク先の台紙１６４０ｂを左、付箋１６２０ｂのリンク先の台紙１６５０ｂを右にして連結する。
図１６（ｃ１）、（ｃ２）の例に示すように、付箋１６１０ｃの上辺と付箋１６２０ｃの下辺が連結線１６３０ｃによって接続されているので、付箋１６２０ｃのリンク先の台紙１６５０ｃを上、付箋１６１０ｃのリンク先の台紙１６４０ｃを下にして連結する。
図１６（ｄ１）、（ｄ２）の例に示すように、付箋１６１０ｄの左辺と付箋１６２０ｄの右辺が連結線１６３０ｄによって接続されているので、付箋１６２０ｄのリンク先の台紙１６５０ｄを上、付箋１６１０ｄのリンク先の台紙１６４０ｄを下にして連結する。
【００７１】
＜第２の実施の形態＞
図１７は、第２の実施の形態の構成例についての概念的なモジュール構成図である。
第２の実施の形態である電子付箋制御装置１７００（情報処理装置の一例）は、会合において用いられる台紙と付箋（電子付箋、電子カード等ともいわれる）に関する処理を行うものであって、図１７の例に示すように、台紙情報記憶モジュール１０５、付箋情報記録モジュール１１０、付箋属性情報記憶モジュール１７１５、付箋画面表示モジュール１２０、付箋操作処理モジュール１２５、台紙分割操作モジュール１７３５、付箋画面制御モジュール１３０、台紙分割制御モジュール１７４０、特定付箋有無判定モジュール１７４５、付箋生成モジュール１７５０を有している。なお、第１の実施の形態と同種の部位には同一符号を付し重複した説明を省略する。また、分割には、第１の実施の形態の電子付箋制御装置１００で連結した台紙を分離することを含む。
【００７２】
台紙情報記憶モジュール１０５は、付箋画面制御モジュール１３０と接続されている。
付箋情報記録モジュール１１０は、付箋属性情報記憶モジュール１７１５、付箋画面制御モジュール１３０と接続されている。付箋画面制御モジュール１３０の制御にしたがって、付箋に関する情報（例えば、属性情報等）を付箋属性情報記憶モジュール１７１５に記憶させる。
付箋属性情報記憶モジュール１７１５は、付箋情報記録モジュール１１０と接続されている。付箋属性情報記憶モジュール１７１５は、付箋情報記録モジュール１１０の制御にしたがって、各付箋の属性情報を記憶している。属性情報として、例えば、付箋が貼り付けられている台紙の台紙ＩＤ、貼り付けられている台紙内での位置、大きさ、特定付箋を示すフラグ等を記憶している。具体的には、後述する図２３の例に示す付箋情報テーブル２３００等を記憶している。また、台紙に貼り付けられている付箋のリストを記憶していてもよい。具体的には、台紙毎に付箋ＩＤのリスト等を記憶していてもよい。
【００７３】
付箋画面表示モジュール１２０は、付箋画面制御モジュール１３０と接続されている。
付箋操作処理モジュール１２５は、付箋画面制御モジュール１３０と接続されている。
台紙分割操作モジュール１７３５は、付箋画面制御モジュール１３０と接続されている。台紙分割操作モジュール１７３５は、ファシリテーター等による台紙に対する分割操作を受け付け、その操作にしたがった処理を台紙分割制御モジュール１７４０に行わせる。
付箋画面制御モジュール１３０は、台紙情報記憶モジュール１０５、付箋情報記録モジュール１１０、付箋画面表示モジュール１２０、付箋操作処理モジュール１２５、台紙分割操作モジュール１７３５、台紙分割制御モジュール１７４０と接続されている。
【００７４】
台紙分割制御モジュール１７４０は、付箋画面制御モジュール１３０、特定付箋有無判定モジュール１７４５、付箋生成モジュール１７５０と接続されている。台紙分割制御モジュール１７４０は、第１の台紙を複数の第２の台紙に分割する。第１の台紙は、分割対象である台紙であって、分割前の台紙である。第２の台紙は、分割後の台紙であって、複数ある。なお、第１の台紙を分割した後も、第１の台紙は、そのまま残っており、第１の台紙と複数の第２の台紙が存在することになる。つまり、新たな台紙（複数の第２の台紙）が生成されることになる。
また、台紙分割制御モジュール１７４０は、特定付箋有無判定モジュール１７４５、付箋生成モジュール１７５０を制御して、第２の台紙に対応する第１の台紙上での位置に付箋がある場合は、その付箋を、その第２の台紙上に生成するようにしてもよい。ここで、第１の台紙上にある付箋は、第２の台紙に関連する付箋である。「第２の台紙に関連する付箋」は、第１の実施の形態で説明した通り、その付箋と第２の台紙とが対応していることをいい（その付箋が第２の台紙を代表又は代替しているといってもよい）、第１の台紙上でその付箋を指定すると、第２の台紙を指定することを意味している。具体的には、付箋に第２の台紙へのリンクを張ることによって実現できる。
つまり、もともと第１の台紙上にあった付箋が、第２の台紙に関連する付箋になることを示している。
また、台紙分割制御モジュール１７４０は、第２の台紙に対応する第１の台紙上での位置に付箋がない場合は、その第１の台紙での位置に第２の台紙に関連する付箋を生成するようにしてもよい。つまり、第１の台紙上には付箋がない領域を分割した場合に、第２の台紙に関連する付箋を第１の台紙上に生成することを示している。
さらに、台紙分割制御モジュール１７４０は、第１の台紙上に生成された付箋に対応する付箋を第２の台紙上に生成するようにしてもよい。
【００７５】
特定付箋有無判定モジュール１７４５は、台紙分割制御モジュール１７４０と接続されている。特定付箋有無判定モジュール１７４５は、第１の台紙を分割した場合に、その分割した第１の台紙の領域に付箋があるか否かを判定する。付箋がある場合は、その付箋をその領域に対応する第２の台紙に関連する付箋とすることになる。付箋が無い場合は、付箋生成モジュール１７５０に付箋を生成させるように制御する。
付箋生成モジュール１７５０は、台紙分割制御モジュール１７４０と接続されている。付箋生成モジュール１７５０は、特定付箋有無判定モジュール１７４５によって、分割した第１の台紙の領域に付箋が無いと判定された場合に、第１の台紙上に、第２の台紙に関連する付箋を生成する。そして、逆に、その生成された付箋に対応する付箋を第２の台紙上に生成する。
【００７６】
図１８は、第２の実施の形態による処理例を示す説明図である。
第１の実施の形態と同様に、共有台紙１８００上に付箋１８１０を作成し、ユーザー１８５０Ａが用いている作業台紙１８１５へのリンクを持たせる。これによって、付箋１８１０を選択して、開く操作（例えば、ダブルクリック、ダブルタップ等）を行うと、作業台紙１８１５を表示する。
【００７７】
図１９は、第２の実施の形態による処理例を示す説明図である。
ここで、３人（ユーザー１８５０Ａ、ユーザー１８５０Ｂ、ユーザー１８５０Ｃ）で作業してもらうために、共有台紙１８００を、３つの台紙（台紙１９１０、台紙１９２０、台紙１９３０）に分割した場合、もともと共有台紙１８００上にある付箋１８１０をどの台紙に貼り付けるべきかを判定する処理が必要となる。さらに、３つの台紙のそれぞれに関連する付箋を、共有台紙１８００上に生成する必要がある。
なお、分割操作として、共有台紙１８００上に分割ボタンを表示し、その分割ボタンが選択されたならば、予め定められた数の領域（例えば、台紙１９１０、台紙１９２０、台紙１９３０）に分割するようにしてもよいし、共有台紙１８００上で領域を分割するための境界線が描かれたならば、その領域に分割するようにしてもよい。
【００７８】
図２０は、第２の実施の形態による処理例を示す説明図である。
第２の実施の形態では、共有台紙１８００内の付箋１８１０に作業台紙１８１５（作業台紙１８１５に貼り付けられている付箋を含めてもよい）へのリンクを持たせ、さらに、作業台紙１８１５には、共有台紙１８００内の付箋１８１０へのリンクを持たせた特定付箋２０２５を生成する。付箋１８１０は、既に共有台紙１８００に貼り付けられている付箋であってもよいし、作業台紙１８１５を生成した場合に新規に生成した付箋であってもよい。
【００７９】
図２１は、第２の実施の形態による処理例を示す説明図である。
図２０の例で示した付箋１８１０、特定付箋２０２５を、台紙の分割に応用したものである。
ここで、付箋１８１０は、共有台紙１８００に分割前から貼り付けられていた付箋であり、付箋２１２０、付箋２１３０は、共有台紙１８００を分割した後に生成された付箋である。そして、共有台紙１８００を分割した台紙１９２０に対応した領域内に付箋１８１０があるので、付箋１８１０は、台紙１９２０へのリンクを有している。そして、付箋２１２０は、台紙１９３０へのリンクを持ち、台紙１９３０の領域にある位置（付箋１８１０より右側の位置）に配置し、付箋２１３０は、台紙１９１０へのリンクを持ち、台紙１９１０の領域にある位置（付箋１８１０より左側の位置）に配置している。
そして、分割した台紙１９１０には、特定付箋２１２５を生成し、その特定付箋２１２５は付箋２１３０へのリンクを有している。分割した台紙１９２０には、特定付箋２０２５を生成し、その特定付箋２０２５は、付箋１８１０へのリンクを有している。分割した台紙１９３０には、特定付箋２１３５を生成し、その特定付箋２１３５は、付箋２１２０へのリンクを有している。
なお、付箋１８１０、付箋２１２０、付箋２１３０は、台紙１９２０、台紙１９３０、台紙１９１０のそれぞれのタイトル付箋（その付箋が分割台紙を代表又は代替しているといってもよい）としての役割を有するようにしてもよい。つまり、分割台紙の名称が付箋１８１０等に記載されていてもよい。逆に、付箋１８１０等に記載されている文字列を台紙１９２０等の台紙名称としてもよい。
【００８０】
付箋１８１０、付箋２１２０、付箋２１３０は、図１０の例に示す付箋情報テーブル１０００のデータ構造を有している。
特定付箋２０２５、特定付箋２１２５、特定付箋２１３５は、図２３の例に示す付箋情報テーブル２３００のデータ構造を有している。
つまり、付箋１８１０、付箋２１２０、付箋２１３０は、第１の実施の形態と同様に、リンク先台紙ＩＤによって、分割された台紙を指し示している。そして、特定付箋２０２５、特定付箋２１２５、特定付箋２１３５は、分割前の台紙上にある付箋を指し示している。これによって、台紙間の関係を互いの台紙上の付箋によって表現できている。
又は、付箋１８１０、付箋２１２０、付箋２１３０も、図２３の例に示す付箋情報テーブル２３００のデータ構造としてもよい。つまり、付箋１８１０と特定付箋２０２５、付箋２１２０と特定付箋２１２５、付箋２１３０と特定付箋２１３５は、それぞれ、お互いの付箋をリンク先付箋としている関係を有していることになる。もちろんのことながら、その付箋がどの台紙に貼り付けられているかについては、付箋情報テーブル１０００の台紙ＩＤ欄１０１２、付箋情報テーブル２３００の台紙ＩＤ欄２３１２によって判明するので、互いの付箋は、互いの台紙に関連している付箋といえる。具体的には、付箋１８１０は台紙１９２０に関連しており、特定付箋２０２５は共有台紙１８００に関連しているといえる。
そして、図９の例に示した台紙情報テーブル９００（特に共有台紙／作業台紙フラグ欄９３０）によって、いずれが共有台紙（分割前の台紙）、作業台紙（分割後の台紙）であるかが判明する。
【００８１】
図２２は、第２の実施の形態による処理例を示す説明図である。
台紙２２１０Ａは台紙１９２０に対応し、台紙２２１０Ｂは台紙１９１０に対応し、台紙２２１０Ｃは、台紙１９３０に対応している。つまり、ユーザー１８５０Ａに対しては、電子付箋端末２５０Ａにおいて標準サイズである台紙２２１０Ａのように表示し、ユーザー１８５０Ｂに対しては、電子付箋端末２５０Ｂにおいて標準サイズである台紙２２１０Ｂのように表示し、ユーザー１８５０Ｃに対しては、電子付箋端末２５０Ｃにおいて標準サイズである台紙２２１０Ｃのように表示する。
なお、特定付箋２０２５、特定付箋２１２５、特定付箋２１３５の各台紙内での位置は、共有台紙１８００内における付箋１８１０、付箋２１３０、付箋２１２０の位置にそれぞれ対応している。
【００８２】
図２３は、付箋情報テーブル２３００のデータ構造例を示す説明図である。付箋情報テーブル２３００は、付箋属性情報記憶モジュール１７１５に記憶されている。付箋情報テーブル２３００は、付箋ＩＤ欄２３１０、台紙ＩＤ欄２３１２、貼付位置欄２３１５、サイズ欄２３２０、作成日時欄２３２５、作成者欄２３３０、貼付日時欄２３３５、色欄２３４０、枠線形状欄２３４５、枠線色欄２３５０、枠線太さ欄２３５５、所属グループ欄２３６０、特定付箋フラグ欄２３６５、リンク先付箋ＩＤ欄２３７０、内容種別欄２３７５、内容欄２３８０を有している。付箋ＩＤ欄２３１０は、付箋ＩＤを記憶している。台紙ＩＤ欄２３１２は、台紙ＩＤを記憶している。貼付位置欄２３１５は、その付箋が貼り付けられる位置を記憶している。つまり、台紙上の貼り付け位置を記憶している。例えば、台紙のＸＹ座標系における座標である。サイズ欄２３２０は、その付箋のサイズを記憶している。例えば、表示する付箋が矩形である場合は、幅と高さを記憶している。作成日時欄２３２５は、その付箋が作成された日時を記憶している。作成者欄２３３０は、その付箋の作成者（作成者ＩＤ）を記憶している。又は、その付箋が作成された情報処理装置（電子付箋端末２５０又は電子付箋制御装置１００の機器ＩＤ）を記憶してもよい。貼付日時欄２３３５は、その付箋が台紙に貼り付けられた日時を記憶している。色欄２３４０は、その付箋の表示色を記憶している。枠線形状欄２３４５は、その付箋の表示における枠線の形状（実線、点線、破線、波線、二重線等）を記憶している。枠線色欄２３５０は、その付箋の表示における枠線の色を記憶している。枠線太さ欄２３５５は、その付箋の表示における枠線の太さを記憶している。所属グループ欄２３６０は、その付箋が所属しているグループに関する情報を記憶している。例えば、その付箋がグループに属しているか否かを示す情報を記憶していてもよいし、グループに属している場合は、グループＩＤやそのグループに属している他の付箋ＩＤ等を記憶していてもよい。特定付箋フラグ欄２３６５は、その付箋が特定付箋であるか否かを示す情報（フラグ）を記憶している。例えば、ＯＮ（その付箋が特定付箋であることを示すフラグ状態）又はＯＦＦ（その付箋は特定付箋ではないことを示すフラグ状態、すなわち、一般的な付箋であることを示すフラグ状態）のいずれかを記憶している。リンク先付箋ＩＤ欄２３７０は、リンク先の付箋ＩＤ（つまり、分割元の台紙に貼り付けられている付箋の付箋ＩＤ）を記憶している。内容種別欄２３７５は、その付箋の内容種別（テキスト情報、手書き文字又は図形等を示すベクトルデータ、音声情報、写真等の静止画像情報、動画情報等、又はこれらの組み合わせを示す情報）を記憶している。内容欄２３８０は、その付箋に書き込まれている内容を記憶している。
【００８３】
図２４は、第２の実施の形態による処理例を示すフローチャートである。
ステップＳ２４０２では、操作者の操作にしたがって、台紙の分割操作を受け付ける。
ステップＳ２４０４では、元の台紙上の付箋の位置にしたがって、分割後の作業台紙上に特定付箋を生成する。元の台紙上に既に付箋が貼り付けられている場合に、その付箋へのリンクを持つ付箋を生成して、分割後の作業台紙上に貼り付ける処理である。なお、対象となる作業台紙は、既に元の台紙上に貼り付けられている付箋の位置に対応する分割された台紙である。
ステップＳ２４０６では、元の台紙上の付箋を特定付箋へのリンクを持つ付箋に変更する。元の台紙上に既に貼り付けられている付箋に、ステップＳ２４０４で生成した特定付箋へのリンクを生成する処理である。前述したように、分割後の作業台紙へのリンクを持たせるようにしてもよい。
【００８４】
ステップＳ２４０８では、分割された後の作業台紙で特定付箋を持たない作業台紙があるか否かを判断し、ある場合はステップＳ２４１０へ進み、それ以外の場合はステップＳ２４０２へ戻る。分割後の全ての作業台紙に対応する付箋が、元の台紙上に対応して既にある場合は、ステップＳ２４０２へ戻ることになり、元の台紙上の付箋が不足している場合は、ステップＳ２４１０へ進むことになる。
ステップＳ２４１０では、特定付箋を生成し、作業台紙上に貼り付ける。
ステップＳ２４１２では、元の台紙に、ステップＳ２４１０で生成された特定付箋へのリンクを持つ付箋を生成する。
ステップＳ２４１４では、分割位置にしたがって、元の台紙における付箋位置を決定し、ステップＳ２４１２で生成した付箋を元の台紙に貼りつけ、ステップＳ２４０８へ戻る。
【００８５】
図２５は、第２の実施の形態による処理例を示す説明図である。分割の形態例を示すものである。
図２５（ａ）の例では、共有台紙（分割前台紙）２５００を、左から右に向かって、作業台紙（分割後台紙）２５１０ａ、作業台紙（分割後台紙）２５２０ａ、作業台紙（分割後台紙）２５３０ａ、作業台紙（分割後台紙）２５４０ａに分割している。
図２５（ｂ）の例では、共有台紙（分割前台紙）２５００を、上から下に向かって、作業台紙（分割後台紙）２５１０ｂ、作業台紙（分割後台紙）２５２０ｂ、作業台紙（分割後台紙）２５３０ｂ、作業台紙（分割後台紙）２５４０ｂに分割している。
図２５（ｃ）の例では、共有台紙（分割前台紙）２５００は、右上から時計回り方向に、作業台紙（分割後台紙）２５１０ｃ、作業台紙（分割後台紙）２５２０ｃ、作業台紙（分割後台紙）２５３０ｃ、作業台紙（分割後台紙）２５４０ｃに分割している。
もちろんのことながら、他の分割数であってもよいし、他の分割形態であってもよい。
それぞれ分割前台紙には、分割後台紙（又は、分割後台紙内の特定付箋）へのリンクを持つ４つの付箋が各分割後台紙の位置に貼り付けられ（既に、分割領域毎に付箋がある場合は、その付箋にリンクを持たせ）、各分割後台紙には、分割前台紙内の付箋へのリンクを持つ特定付箋が貼り付けられる。
【００８６】
本実施の形態では複数の台紙を連結させた後に、付箋の移動又は複写を行う例を説明したが、他の操作をできるようにしてもよい。例えば、付箋どうしの関係性を付与する操作、複数の付箋をまとめてグループを形成する操作、複数の付箋に対して一度に同じ属性を付与する操作、検索対象の付箋として指定する操作等、複数の台紙間における複数の付箋を選択して行う操作がある。本実施の形態によって、複数の台紙にあるそれぞれの付箋を１つの操作で選択することができるようになる。さらに、このとき、複数の付箋選択操作は、台紙間の付箋選択であっても、従来の１つの台紙内の複数の付箋の選択と同様の操作で行うことができるため、移動又は複写の場合と同様に、操作を容易にすることができるようになる。
【００８７】
なお、本実施の形態としてのプログラムが実行されるコンピュータのハードウェア構成は、図２６に例示するように、一般的なコンピュータであり、具体的にはパーソナルコンピュータ、サーバーとなり得るコンピュータ等である。つまり、具体例として、処理部（演算部）としてＣＰＵ２６０１を用い、記憶装置としてＲＡＭ２６０２、ＲＯＭ２６０３、ＨＤ２６０４を用いている。ＨＤ２６０４として、例えばハードディスク、ＳＳＤ（Ｓｏｌｉｄ  Ｓｔａｔｅ  Ｄｒｉｖｅ）を用いてもよい。付箋情報記録モジュール１１０、付箋画面表示モジュール１２０、付箋操作処理モジュール１２５、付箋画面制御モジュール１３０、付箋位置判定モジュール１３５、台紙連結制御モジュール１４０、台紙分割操作モジュール１７３５、台紙分割制御モジュール１７４０、特定付箋有無判定モジュール１７４５、付箋生成モジュール１７５０等のプログラムを実行するＣＰＵ２６０１と、そのプログラムやデータを記憶するＲＡＭ２６０２と、本コンピュータを起動するためのプログラム等が格納されているＲＯＭ２６０３と、台紙情報記憶モジュール１０５、付箋属性情報記憶モジュール１１５、付箋属性情報記憶モジュール１７１５としての機能を有する補助記憶装置（フラッシュ・メモリ等であってもよい）であるＨＤ２６０４と、キーボード、マウス、タッチスクリーン、マイク、カメラ（視線検知カメラ等を含む）等に対する利用者の操作（動作、音声、視線等を含む）に基づいてデータを受け付ける受付装置２６０６と、ＣＲＴ、液晶ディスプレイ、スピーカー等の出力装置２６０５と、ネットワークインタフェースカード等の通信ネットワークと接続するための通信回線インタフェース２６０７、そして、それらをつないでデータのやりとりをするためのバス２６０８により構成されている。これらのコンピュータが複数台互いにネットワークによって接続されていてもよい。
【００８８】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図２６に示すハードウェア構成は、１つの構成例を示すものであり、本実施の形態は、図２６に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図２６に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００８９】
本実施の形態は、付箋を移動させる際に参加者が逐次移動先の台紙を選択する場合に比べて、台紙間にまたがる付箋操作を分かりやすくする情報処理装置及び情報処理プログラムとして説明したが、本実施の形態を、台紙の連結ができる情報処理装置及び情報処理プログラムとして把握してもよい。
台紙の連結が効果的な状況としては、例えば、複数人による会合において、台紙に付箋を貼り付ける作業が行われている状況がある。このような作業において、複数の台紙を連結させたい場合がある。例えば、参加者毎に作業された台紙を連結して、その参加者で一方の台紙から他方の台紙に付箋を移動させる等の作業を行いたい場合がある。
また、前述の実施の形態の説明内での比較処理において、「以上」、「以下」、「より大きい」、「より小さい（未満）」としたものは、その組み合わせに矛盾が生じない限り、それぞれ「より大きい」、「より小さい（未満）」、「以上」、「以下」としてもよい。
【００９０】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００９１】
１００…電子付箋制御装置
１０５…台紙情報記憶モジュール
１１０…付箋情報記録モジュール
１１５…付箋属性情報記憶モジュール
１２０…付箋画面表示モジュール
１２５…付箋操作処理モジュール
１３０…付箋画面制御モジュール
１３５…付箋位置判定モジュール
１４０…台紙連結制御モジュール
２１０…ユーザー端末
２５０…電子付箋端末
２８０…会議室
２９４…台紙・付箋情報記憶装置
２９８、２９９…通信回線
１７００…電子付箋制御装置
１７１５…付箋属性情報記憶モジュール
１７３５…台紙分割操作モジュール
１７４０…台紙分割制御モジュール
１７４５…特定付箋有無判定モジュール
１７５０…付箋生成モジュール
【図１】
2019062489.tif 000003
【図２】
2019062489.tif 000004
【図３】
2019062489.tif 000005
【図４】
2019062489.tif 000006
【図５】
2019062489.tif 000007
【図６】
2019062489.tif 000008
【図７】
2019062489.tif 000009
【図８】
2019062489.tif 000010
【図９】
2019062489.tif 000011
【図１０】
2019062489.tif 000012
【図１１】
2019062489.tif 000013
【図１２】
2019062489.tif 000014
【図１３】
2019062489.tif 000015
【図１４】
2019062489.tif 000016
【図１５】
2019062489.tif 000017
【図１６】
2019062489.tif 000018
【図１７】
2019062489.tif 000019
【図１８】
2019062489.tif 000020
【図１９】
2019062489.tif 000021
【図２０】
2019062489.tif 000022
【図２１】
2019062489.tif 000023
【図２２】
2019062489.tif 000024
【図２３】
2019062489.tif 000025
【図２４】
2019062489.tif 000026
【図２５】
2019062489.tif 000027
【図２６】
2019062489.tif 000028